(57)【要約】【課題】表示装置本体の表示面と反対側に配される記録媒体装置の挿抜口を表示面側へ簡易に向かせることができ、記録媒体の記録媒体装置に対する挿抜性を高めることができるとともに、表示装置本体の周縁周りに挿抜用の空間を確保することが困難な場合においても記録媒体の挿抜を簡易に行うことができる表示装置及びテレビ受像装置を提供する。【解決手段】記録媒体が挿抜される挿抜口２ａを有し、前側に表示面１ａを有する表示装置本体１の後側に装着される記録媒体装置２を、挿抜口２ａが表示面１ａに略平行な方向及び該表示面１ａと略直交する方向となるように位置変更を可能に枢着した構成とし、記録媒体の非挿抜時には記録媒体装置２を表示装着本体１の後側に隠すことができるとともに、記録媒体を表示面１ａ側から挿抜することができるようにした。【選択図】図３
2012089930.tif 000002
【特許請求の範囲】
【請求項１】
一部に表示面を有する表示装置本体の外部に、記録媒体が挿抜される挿抜口を有する記録媒体装置が装着されている表示装置において、前記記録媒体装置は、前記挿抜口が前記表示面に略平行な方向及び略直交する方向となるように位置変更を可能に枢着されていることを特徴とする表示装置。
【請求項２】
前記表示装置本体は略直方体をなし、一面に前記表示面を有し、該表示装置本体の前記一面と反対側の面の稜部に前記記録媒体装置が枢着されている請求項１記載の表示装置。
【請求項３】
前記記録媒体装置の枢動を阻止するロック手段を備える請求項１又は２記載の表示装置。
【請求項４】
前記ロック手段は、前記表示装置本体及び記録媒体装置の一方に開設された複数の孔、及び他方に配され、前記孔の一つに選択的に係止される係止凸部を有する請求項３記載の表示装置。
【請求項５】
前記ロック手段は前記係止凸部を移動させるための操作体を有する請求項４記載の表示装置。
【請求項６】
前記表示装置本体の前記他側及び記録媒体装置の前記他側と対向する対向面の一方は、他方に当接することが可能な凸部を有する請求項２から５のいずれか一つに記載の表示装置。
【請求項７】
前記表示装置本体はスタンドが取着される取着部を有し、前記表示装置本体における前記取着部の上側の稜部に前記記録媒体装置を配してある請求項２から６のいずれか一つに記載の表示装置。
【請求項８】
前記記録媒体装置が前記表示装置本体に枢着されている枢着部は、球形継手を有する請求項１から７のいずれか一つに記載の表示装置。
【請求項９】
前記枢着部は、その一端部が前記表示装置本体に保持され、その他端部が前記記録媒体装置に保持されている枢軸を有し、該枢軸の中途に前記球形継手を配してある請求項８記載の表示装置。
【請求項１０】
テレビ放送信号を受信する受信部を備え、該受信部がテレビ放送信号を受信して前記表示面にテレビ画像を表示する請求項１から９のいずれか一つに記載の表示装置を含むことを特徴とするテレビ受像装置。
【発明の詳細な説明】
【技術分野】
【０００１】
本発明はブルーレイディスク（ＢＤ）、デジタルバーサタイルディスク（ＤＶＤ）等の記録媒体を使用する記録再生機等の記録媒体装置を備えるテレビ受像装置等の表示装置、該表示装置を含むテレビ受像装置に関する。
【背景技術】
【０００２】
記録再生機等の記録媒体装置を備えるテレビ受像装置は特許文献１に記載されている。特許文献１のテレビ受像装置は、前側に表示面を有する表示装置本体の後側に、上下に離隔する一対のレール、及び該レールに沿って横方向への移動が自在の回転支持体が設けられ、該回転支持体に回転を自在に嵌合される回転軸が記録媒体装置に設けられ、該記録媒体装置を前記レールに沿って横方向へ移動、及び回転支持体に対して前記表示面に沿う方向へ回動させることにより、記録媒体が挿抜される挿抜口を有する記録媒体装置の挿抜口を、表示装置本体の表示面に対して右向き、左向き又は上向きに変更することができるように構成されている。
【先行技術文献】
【特許文献】
【０００３】
【特許文献１】特開２００８−２１１４２４号公報
【発明の概要】
【発明が解決しようとする課題】
【０００４】
ところが、特許文献１に記載されたテレビ受像装置が備える記録媒体装置は、表示面に沿う方向への移動及び回動により挿抜口が右向き、左向き又は上向きになるにすぎず、記録媒体の挿抜は表示面に沿う方向からのみであるため、表示装置本体の周縁周りに挿抜用の比較的広い空間が必要であり、また、表示装置本体の前側から記録媒体装置の挿抜口が見え難く、記録媒体の挿抜性が悪いという問題があった。
【０００５】
また、記録媒体装置の位置が変更された際にも該記録媒体装置が表示装置本体の後面と対向しているため、表示装置本体の後面に開設される放熱孔の一部が記録媒体装置にて塞がれることになり、表示装置本体の放熱性が阻害されることになり、改善策が要望されていた。
【０００６】
本発明は斯かる事情に鑑みてなされたものであり、主たる目的は表示装置本体の表示面と反対側に配される記録媒体装置の挿抜口を表示装置本体の表示面側へ簡易に向かせることができ、記録媒体の記録媒体装置に対する挿抜性を高めることができるとともに、表示装置本体の周縁周りに挿抜用の比較的広い空間を確保することが困難な場合においても記録媒体の挿抜を簡易に行うことができる表示装置を提供することにある。
【課題を解決するための手段】
【０００７】
本発明に係る表示装置は、一部に表示面を有する表示装置本体の外部に、記録媒体が挿抜される挿抜口を有する記録媒体装置が装着されている表示装置において、前記記録媒体装置は、前記挿抜口が前記表示面に略平行な方向及び略直交する方向となるように位置変更を可能に枢着されていることを特徴とする。
【０００８】
この発明にあっては、表示装置本体の表示面と反対側に配される記録媒体装置を回動させることにより、該記録媒体装置の挿抜口を表示面と略直交する方向へ向けることができ、記録媒体を表示面側から挿抜することができるため、記録媒体の挿抜性を高めることができる。また、枢着された枢着部を支点として記録媒体装置を回動させることにより、挿抜口を表示面と略直交する方向へ向けることができるため、表示装置本体の周縁周りに挿抜用の比較的広い空間を確保することが困難な場合においても記録媒体の挿抜を簡易に行うことができる。
【０００９】
また、本発明に係る表示装置は、前記表示装置本体は略直方体をなし、一面に前記表示面を有し、該表示装置本体の前記一面と反対側の面の稜部に前記記録媒体装置が枢着されている構成とするのが好ましい。
この発明にあっては、表示面に向かって使用者の利手側に記録媒体装置を配することが可能であるため、使用者の利手に対応した表示装置を選択することができる。
【００１０】
また、本発明に係る表示装置は、前記記録媒体装置の枢動を阻止するロック手段を備える構成とするのが好ましい。
この発明にあっては、位置変更された記録媒体装置が不用意に回動するのを阻止することができ、挿抜口の向きを維持することができるため、記録媒体を繰り返し挿抜する場合でも該記録媒体を簡易に挿抜することができる。
【００１１】
また、本発明に係る表示装置は、前記ロック手段は、前記表示装置本体及び記録媒体装置の一方に開設された複数の孔、及び他方に配され、前記孔の一つに選択的に係止される係止凸部を有する構成とするのが好ましい。
この発明にあっては、挿抜口が表示面に略平行な方向へ向くように記録媒体装置が回動されたとき係止凸部が係止される一の孔、及び挿抜口が表示面と略直交する方向へ向くように記録媒体装置が回動さけれたとき係止凸部が係止される他の孔と前記係止凸部とによりロック手段が構成されるため、ロック手段の構造が簡素であり、コストを低減できる。
【００１２】
また、本発明に係る表示装置は、前記ロック手段は前記係止凸部を移動させるための操作体を有する構成とするのが好ましい。
この発明にあっては、操作体を操作することにより係止凸部を係脱させることができるため、記録媒体装置の位置変更をより一層簡易にできる。
【００１３】
また、本発明に係る表示装置は、前記表示装置本体の前記他側及び記録媒体装置の前記他側と対向する対向面の一方は、他方に当接することが可能な凸部を有する構成とするのが好ましい。
この発明にあっては、記録媒体装置が表示装置本体と対向する位置に配されているときでも、記録媒体装置と表示装置本体との間に放熱用の空間を確保することができるため、表示装置本体に開設されている放熱用孔を前記空間に開放することができ、表示装置本体の放熱性を高めることができる。
【００１４】
また、本発明に係る表示装置は、前記表示装置本体はスタンドが取着される取着部を有し、前記表示装置本体における前記取着部の上側の稜部に前記記録媒体装置を配してある構成とするのが好ましい。
この発明にあっては、壁に近付けて配されている表示装置本体がスタンドに対して回動されるとき、記録媒体装置が壁に当接するのを防ぐことができ、記録媒体装置の損傷を未然に防ぐことができる。
【００１５】
また、本発明に係る表示装置は、前記記録媒体装置が前記表示装置本体に枢着される枢着部は、球形継手を有する構成とするのが好ましい。
この発明にあっては、記録媒体装置を表示面に略平行な方向へ角回動させた後、球形継手にて表示面と略直交する方向へ回動させることができるため、位置変更過程時に記録媒体装置が表示面と反対側へ突出する突出量を低減でき、表示装置本体を壁により一層近付けて配置することができる。
【００１６】
また、本発明に係る表示装置は、前記枢着部は、その一端部が前記表示装置本体に保持され、その他端部が前記記録媒体装置に保持されている枢軸を有し、該枢軸の中途に前記球形継手を配してある構成とするのが好ましい。
この発明にあっては、枢軸を中心とする記録媒体装置の回動と、球形継手を中心とする回動とによって記録媒体装置の位置を変更することができるため、枢着部の構造が簡素であり、コストを低減できる。
【００１７】
また、本発明に係るテレビ受像装置は、テレビ放送信号を受信する受信部を備え、該受信部がテレビ放送信号を受信して前記表示面にテレビ画像を表示する上述した発明の表示装置を含むことを特徴とする。
この発明にあっては、テレビ放送信号を受信して表示面にテレビ画像を表示することができる。
【発明の効果】
【００１８】
本発明によれば、表示装置本体の表示面と反対側に配される記録媒体装置を回動させることにより、該記録媒体装置の挿抜口を表示面と略直交する方向へ向けることができ、記録媒体を表示面側から挿抜することができるため、記録媒体の挿抜性を高めることができる。また、枢着された枢着部を支点として記録媒体装置を回動させることにより、挿抜口を表示面と略直交する方向へ向けることができるため、表示装置本体の周縁周りに挿抜用の比較的広い空間を確保することが困難な場合においても記録媒体の挿抜を簡易に行うことができる。
【図面の簡単な説明】
【００１９】
【図１】記録媒体装置が省略されたテレビ受像装置の概略構成を示す分解斜視図である。
【図２】記録媒体装置が省略された液晶表示装置の概略構成を示す分解斜視図である。
【図３】本発明に係る表示装置の構成を示す前側斜視図である。
【図４】本発明に係る表示装置の構成を示す後側斜視図である。
【図５】本発明に係る表示装置の構成を示す拡大側面図である。
【図６】本発明に係る表示装置の構成を示す平面図である。
【図７】記録媒体装置が枢着されている枢着部分を拡大した斜視図である。
【図８】記録媒体装置が枢着されている枢着部分を拡大した斜視図である。
【図９】操作体の構成を示す正面図である。
【図１０】操作体の構成を示す側面図である。
【図１１】記録媒体装置が回動された状態を示す前側斜視図である。
【図１２】記録媒体装置が回動された状態を示す後側斜視図である。
【図１３】記録媒体装置が回動された状態を示す正面図である。
【図１４】記録媒体装置が回動された状態を示す平面図である。
【図１５】本発明に係る表示装置の他の構成を示す後側斜視図である。
【図１６】本発明に係る表示装置の他の構成を示す背面図である。
【図１７】本発明に係る表示装置の他の構成を示す側面図である。
【図１８】本発明に係る表示装置の他の構成を示す平面図である。
【図１９】本発明に係る表示装置の他の構成を示す要部の模式図である。
【図２０】本発明に係る表示装置の他の構成を示す正面側模式図である。
【図２１】表示装置が一方向へ回動された状態を示す正面側模式図である。
【図２２】表示装置が異方向へ回動された状態を示す正面側模式図である。
【発明を実施するための形態】
【００２０】
以下本発明をその実施の形態を示す図面に基づいて詳述する。説明は、前側に表示面を有し、略直方体をなす表示装置本体、及び該表示装置本体の後側に記録媒体装置が装着されている薄型の表示装置を例として説明する。表示装置はバックライト部を含む液晶の表示装置本体を搭載し、テレビ放送信号を受信する受信部を備え、該受信部がテレビ放送信号を受信してテレビ画像を前記表示面に表示するテレビ受像装置を含む。図１は記録媒体装置が省略されたテレビ受像装置の概略構成を示す分解斜視図、図２は記録媒体装置が省略された液晶表示装置の概略構成を示す分解斜視図である。
【００２１】
テレビ受像装置は、バックライト部を含む液晶表示部Ｂと、該液晶表示部Ｂを挾むようにして収容するキャビネットＣ，Ｄと、電源Ｅと、チューナＦと、スタンドＧとを備える表示装置にて構成される。液晶表示部Ｂは、全体として横長の略直方体をなし、縦置き状態でキャビネットＣ，Ｄ内に収容されている。この液晶表示部Ｂは、図２に示すように、表示パネルである液晶パネルＨと、外部光源であるバックライト部Ｊとを備え、液晶パネルＨ及びバックライト部Ｊなどが枠状のベゼルなどの保持枠体Ｋ，Ｌにより一体的に保持され、パネルモジュール（液晶表示部）を構成するようになっている。
【００２２】
実施の形態１
図３は本発明に係る表示装置の構成を示す前側斜視図、図４は表示装置の構成を示す後側斜視図、図５は表示装置の構成を示す拡大側面図、図６は表示装置の構成を示す平面図、図７及び図８は記録媒体装置が枢着されている枢着部分を拡大した斜視図である。
【００２３】
この表示装置はテレビ画像を表示する表示面１ａを前側に有し、略直方体をなす表示装置本体１と、該表示装置本体１の後側に記録媒体装置２が装着されている薄型のテレビ受像装置である。
【００２４】
表示装置本体１は、前側に表示面１ａを有する液晶表示部と、該液晶表示部を収容するキャビネット１１とを備え、液晶表示部の後面で横方向中央部に取着されるスタンド３にて縦姿勢に支持されている。キャビネット１１の後面で、横方向一方の稜部（右側稜部）には、軸芯が上下となる筒状の枢軸１２が設けられ、該枢軸１２に記録媒体装置２が前後方向への回動を可能に枢着されている。また、稜部には上下に離隔して二つの嵌合凹部１３，１３ａが設けられ、該嵌合凹部１３，１３ａ間の凸部１５に開設された嵌合孔に枢軸１２が嵌入保持されており、また、嵌合凹部１３，１３ａ内に枢軸１２の両端側が配されている。上側の嵌合凹部１３で、枢軸１２の周面から離隔し、且つ周方向へ離隔した二つの位置には、上方へ開放された係止孔１４，１４ａが開設されている。また、キャビネット１１の後側には複数の放熱孔１１ａが縦、横に並設されている。尚、係止孔１４，１４ａが孔を構成している。
【００２５】
スタンド３は、ベース部３１と、該ベース部３１の中央から上方へ起立する下脚部３２及び該下脚部３２に相対回転を可能に嵌合された上脚部とを有し、該上脚部が前記液晶表示部の後面で横方向中央部に取付けられ、スタンド３に対して表示装置本体１を前後方向へ回動させることができるように構成されている。
【００２６】
記録媒体装置２は、ＢＤディスク、ＤＶＤディスク及び半導体メモリ等の記録媒体の挿抜口２ａを有し、略直方体をなす筺体２１と、挿抜口２ａから筺体２１内に挿入された記録媒体を定位置へローディング及び定位置から挿抜口２ａへ取出すローディング機構を有し、該ローディング機構がテレビ受像装置等の表示装置本体１に導線にて接続される可動機器とを備え、筺体２１の挿抜口２ａ側の稜部がキャビネット１１の稜部に前後方向への回動を可能に枢軸１２にて枢着され、筺体２１の挿抜口２ａ側の一稜部に、回動にて位置変更された記録媒体装置２が不用意に回動するのを阻止するための凸部としてのロックピン４１及び該ロックピン４１を上下方向へ移動させる操作体４２が設けられている。尚、前記導線の中途は枢軸１２内に挿通される。また、二つの係止孔１４，１４ａ、ロックピン４１及び操作体４２がロック手段４を構成している。
【００２７】
筺体２１は、四角形をなし一面に前記可動機器が装着されている基板２２と、椀形をなし前記可動機器を覆う蓋部２３とを有し、該蓋部２３の一側部に挿抜口２ａが設けられており、基板２２の前記一側部に連なる一の稜部に、上下に離隔して対向する四つの嵌合凸部２４が一体に成形され、基板２２の他の稜部で、表示装置本体１の後面に対向する対向面に、板厚方向へ突出して表示装置本体１の後面に当接する凸部２５が一体に成形され、該凸部２５及び嵌合凸部２４により、基板２２の他面に放熱用の凹部２６が設けられている。
【００２８】
上側二つの嵌合凸部２４は上側の嵌合凹部１３に配され、下側二つの嵌合凸部２４は下側の嵌合凹部１３ａに配され、夫々の嵌合凸部２４，２４の先部に、上下に貫通する軸孔２４ａ，２４ａが開設され、該軸孔２４ａ，２４ａに枢軸１２が嵌入されることにより前後方向への回動が自在になる。また、上側二つの嵌合凸部２４間には図７に示すように操作体４２が配されており、また、上側二つの嵌合凸部２４間には操作体４２の上下移動を案内するための案内突起２７が設けられている。また、上側二つの嵌合凸部２４のうち、下側の嵌合凸部２４のロックピン４１と対向する箇所には、該ロックピン４１が挿通される挿通孔が開設されている。
【００２９】
図９は操作体の構成を示す正面図、図１０は操作体の構成を示す側面図である。操作体４２は上側二つの嵌合凸部２４間に上下への移動を可能に配され上下に長い長孔４２ａが開設されている板部４２ｂと、該板部４２ｂの横方向一端に配されている操作部４２ｃと、板部４２ｂの他端部から板厚方向へ延出された延出部４２ｄと、板部４２ｂの上端から上向きに突出する位置決め凸部４２ｅとを有し、延出部４２ｄの先端にロックピン４１が一体に設けられている。板部４２ｂの位置決め凸部４２ｅと最上側嵌合凸部２４との間には、操作体４２を下方へ付勢する弾性体４３が設けられ、該弾性体４３の付勢力にて操作体４２が下方へ付勢され、ロックピン４１が一つの係止孔１４に挿入されており、また、長孔４２ａに案内突起２７が挿嵌され、操作部４２ｃが筺体２１の外側に配されている。
【００３０】
以上のように構成された表示装置は、表示装置本体１における後側の右上稜部に、記録媒体装置２が前後方向への回動を可能に枢軸１２にて枢着されている。記録媒体装置２の挿抜口２ａに記録媒体が挿抜されない場合、記録媒体装置２が後方へ回動され、基板２２が表示装置本体１の後面と対向し、表示面１ａの前方から記録媒体装置２が見えない状態になっており、挿抜口２ａは右側方へ向いており、換言すると表示面１ａに略平行な方向へ向いており、操作体４２の操作部４２ｃは筐体２１の右側に突出している。また、ロックピン４１は一の係止孔１４に嵌入され、記録媒体装置２の回動がロックされている。また、凸部２５が表示装置本体１の後面に当接し、基板２２と表示装置本体１の後面との間に放熱用の凹部２６があり、表示装置本体１内で昇温した空気がキャビネット１１の放熱孔を経て凹部２６から上方へ排出され易い状態になっている。
【００３１】
図１１は記録媒体装置が回動された状態を示す前側斜視図、図１２は記録媒体装置が回動された状態を示す後側斜視図、図１３は記録媒体装置が回動された状態を示す正面図、図１４は記録媒体装置が回動された状態を示す平面図である。
【００３２】
記録媒体装置２の挿抜口２ａに記録媒体が挿抜される場合、操作体４２の操作部４２ｃに指当てして操作体４２を上方へ移動させることにより、弾性体４３が撓みつつロックピン４１が係止孔１４から抜け出し、ロック解除になる。この状態で、記録媒体装置２が後方の位置から約９０度回動されることにより挿抜口２ａは前方へ向き、換言すると表示面１ａと略直交する方向へ向き、記録媒体を表示面１ａの前方側から挿抜口２ａに対して挿抜することができる。また、ロックピン４１は弾性体４３の付勢力にて他の係止孔１４ａに嵌入され、記録媒体装置２の回動がロックされる。
【００３３】
実施の形態２
図１５は表示装置の他の構成を示す後側斜視図、図１６は表示装置の他の構成を示す背面図である。この表示装置は、表示装置本体１の後面で横方向中央部に取着されるスタンド３の取着部の直上側の稜部に前後方向への回動を可能に記録媒体装置２を枢着したものである。
【００３４】
この構成において、表示装置本体１の上稜部に設けられる枢軸１２は軸芯が横方向となり、該枢軸１２にて表示装置本体１に枢着される記録媒体装置２は、前後方向への回動が可能となる。
【００３５】
記録媒体装置２の挿抜口２ａに記録媒体が挿抜されない場合、記録媒体装置２が後方へ回動され、基板２２が表示装置本体１の後面と対向し、表示面１ａの前方から記録媒体装置２が見えない状態になっており、挿抜口２ａは上方へ向き、換言すると表示面１ａに略平行な方向へ向き、操作体４２の操作部４２ｃは筐体２１の上側に突出している。
【００３６】
記録媒体装置２の挿抜口２ａに記録媒体が挿抜される場合、操作体４２にてロックピン４１が係止孔１４ａから抜け出し、ロック解除になり、この状態で、記録媒体装置２が後方の位置から上方へ約９０度回動されることにより挿抜口２ａは前方へ向き、換言すると表示面１ａと略直交する方向へ向き、記録媒体を表示面１ａの前方側から挿抜口２ａに対して挿抜することができる。
【００３７】
この構成にあっては、スタンド３が取着される取着部の直上部に記録媒体装置２が枢着されているため、壁際の床に配置された表示装置の表示装置本体１がスタンド３のベース部３１に対して左右に若干回動されるようなことがあっても、記録媒体装置２が壁に当接するのを防ぐことができ、記録媒体装置２の損傷を未然に防ぐことができる。
その他の構成及び作用は実施の形態１と同様であるため、同様の部品については同じ符号を付し、その詳細な説明及び作用効果の説明を省略する。
【００３８】
実施の形態３
図１７は表示装置の他の構成を示す側面図、図１８は表示装置の他の構成を示す平面図である。この表示装置は、記録媒体装置２の嵌合凸部２４，２４ａに開設され、枢軸１２が嵌入される軸孔２４ａを、径方向に長い長孔、換言すると挿抜口２ａの開放方向に長い長孔とし、軸芯が上下となるように配される枢軸１２に対して長孔の長手方向、換言すると挿抜口２ａの開放方向へ記録媒体装置２を移動させることができるように構成したものである。
【００３９】
この構成にあっては、表示装置本体１の後側の右稜部に軸芯が上下となる枢軸１２にて枢着された記録媒体装置２が表示装置本体１の後側から前方へ向けて約９０度回動され、挿抜口２ａが前方へ向いている状態で記録媒体装置２を枢軸１２に対して前方へ移動させることができるため、挿抜口２ａを表示面１ａに略平行な位置、換言すると表示装置本体１の前側右稜部の近傍に変位させることができる。よって、表示装置本体１の前側右稜部に邪魔されることなく、記録媒体を挿抜することができ、記録媒体の挿抜性を高めることができる。
その他の構成及び作用は実施の形態１と同様であるため、同様の部品については同じ符号を付し、その詳細な説明及び作用効果の説明を省略する。
【００４０】
実施の形態４
図１９は表示装置の他の構成を示す要部の模式図である。この表示装置は、ロックピン４１及び操作体４２をなくし、ロック手段４として電動モータ４４を用い、該電動モータ４４にて記録媒体装置２を二つの位置間で回動させることができるように構成したものである。
【００４１】
この構成において、枢軸１２は記録媒体装置２の嵌合凸部２４の軸孔２４ａに一体回転を可能に嵌合保持され、該枢軸１２の一部がキャビネット１１の稜部に回動自在に嵌合され、枢軸１２の端部に傘歯車４５又はウォームが設けられている。
【００４２】
キャビネット１１の稜部内側には電動モータ４４が保持され、前記傘歯車４５又はウォームに噛合する傘歯車４６又はウォーム歯車が電動モータ４４の出力軸に設けられている。
【００４３】
この構成にあっては、電動モータ４４を一方向又は他方向へ駆動することにより、記録媒体装置２を約９０度回動させるこができ、挿抜口２ａを表示面１ａに略平行な方向及び表示面１ａと略直交する方向へ向かわせることができる。また、リモートコンローラから送信される信号を受信する受信部が電動モータ４４の駆動回路に接続されることにより、記録媒体装置２の回動操作を簡易に行うことができる。
その他の構成及び作用は実施の形態１と同様であるため、同様の部品については同じ符号を付し、その詳細な説明及び作用効果の説明を省略する。
【００４４】
実施の形態５
図２０は表示装置の他の構成を示す正面側模式図、図２１は表示装置が一方向へ回動された状態を示す正面側模式図、図２２は表示装置が異方向へ回動された状態を示す正面側模式図である。この表示装置は、枢軸１２の中途に球形継手５を設け、枢軸１２を中心として記録媒体装置２を一方向へ約９０度回動させた後、球形継手５を中心として記録媒体装置２を他方向へ約９０度回動させることができるように構成したものである。
【００４５】
この構成において、枢軸１２は、軸芯が前後方向となるように表示装置本体１の右上部に嵌合保持された第１軸体１２ａと、軸芯が前後方向となるように記録媒体装置２の一つの稜部に嵌合保持された第２軸体１２ｂと、第１軸体１２ａ及び第２軸体１２ｂの先端に結合された球形継手５とを有し、表示装置本体１の後側に記録媒体装置２が配されるとき、第１軸体１２ａ及び第２軸体１２ｂが同芯状になり、記録媒体装置２の挿抜口２ａから記録媒体が挿抜されるとき、球形継手５部分が相対回動しつつ記録媒体装置２が表示面１ａに略平行な方向へと約９０度右回動した後、球形継手５部分が相対回動しつつ記録媒体装置２が約９０度前方へ回動するように構成されている。
【００４６】
この構成にあっては、表示装置本体１の右上部に枢着された記録媒体装置２が表示装置本体１の後側に配されているとき、第１軸体１２ａ及び第２軸体１２ｂが同芯状になり、記録媒体装置２の挿抜口２ａが上方へ向いている。記録媒体装置２の挿抜口２ａに対して記録媒体が挿抜されるとき、球形継手５部分を中心として記録媒体装置２が表示面に略平行な方向へと約９０度右回動し、挿抜口２ａが右向きになった後、球形継手５部分を中心として記録媒体装置２が約９０度前方へ回動し、挿抜口２ａが前向きになる。
【００４７】
このように記録媒体装置２を表示面１ａに略平行な方向へ回動させた状態で該記録媒体装置２を前方へ回動させることができるため、換言すると表示装置本体１の後側に、記録媒体装置２を回動させるための余計な空間が必要でないため、表示装置本体１を壁際により一層近付けて配置することができる。
その他の構成及び作用は実施の形態１と同様であるため、同様の部品については同じ符号を付し、その詳細な説明及び作用効果の説明を省略する。
【００４８】
尚、以上説明した実施の形態では、表示装置本体１の後面で右稜部又は上稜部の横方向中央部に記録媒体装置２を枢着したが、その他、表示装置本体１の後面で左稜部に記録媒体装置２を枢着する構成としてもよく、記録媒体装置２が枢着される箇所は特に制限されない。
【００４９】
また、以上説明した実施の形態では、ロック手段４のロックピン４１を記録媒体装置２に設け、係止孔１４，１４ａを表示装置本体１に設けたが、その他、ロックピン４１を表示装置本体１に設け、係止孔１４，１４ａを記録媒体装置２に設ける構成としてもよく、ロック手段４の構成は特に制限されない。
【００５０】
また、以上説明した実施の形態では、ロック手段４を備える構成としたが、その他、ロック手段４は特に必要でない。ロック手段４がない場合、記録媒体装置２が回動する回動範囲内の、表示装置本体１及び記録媒体装置２の一方に二つの係合凹部を設け、他方に該係合凹部の一つに係合する係合凸部を設ける構成としてもよいし、また、記録媒体装置２の回動に回動抵抗を加える構成としてもよい。
【００５１】
また、以上説明した実施の形態では、表示装置本体１が液晶の表示パネルを有する表示装置（及びテレビ受像装置）としたが、その他、表示装置本体１がプラズマの表示パネルを有する表示装置（及びテレビ受像装置）であってもよく、表示装置（及びテレビ受像装置）の構成は特に制限されない。
【符号の説明】
【００５２】
１    表示装置本体
１ａ  表示面
１２  枢軸
１４，１４ａ  係止孔（孔）
２    記録媒体装置
２ａ  挿抜口
２５  凸部
３    スタンド
４    ロック手段
４１  ロックピン（凸部）
４２  操作体
４４  電動モータ
５    球形継手
【図１】
2012089930.tif 000003
【図２】
2012089930.tif 000004
【図３】
2012089930.tif 000005
【図４】
2012089930.tif 000006
【図５】
2012089930.tif 000007
【図６】
2012089930.tif 000008
【図７】
2012089930.tif 000009
【図８】
2012089930.tif 000010
【図９】
2012089930.tif 000011
【図１０】
2012089930.tif 000012
【図１１】
2012089930.tif 000013
【図１２】
2012089930.tif 000014
【図１３】
2012089930.tif 000015
【図１４】
2012089930.tif 000016
【図１５】
2012089930.tif 000017
【図１６】
2012089930.tif 000018
【図１７】
2012089930.tif 000019
【図１８】
2012089930.tif 000020
【図１９】
2012089930.tif 000021
【図２０】
2012089930.tif 000022
【図２１】
2012089930.tif 000023
【図２２】
2012089930.tif 000024